(57)【要約】【課題】本発明の課題は、優先度に応じた呼の割当てを可能にし、かつ共有リソースの利用効率を上げることのできる呼受付制御装置を提供することである。【解決手段】上記課題は、優先度の異なる複数の呼の通信に必要なリソースを共有リソースの内から割当てる呼受付制御装置において、低優先度の呼を検出したときに、該低優先度の呼がシステムに与える影響度を判断する影響度判断手段と、前記判断結果に基づき前記低優先度の呼の受付可否を判断する低優先度呼受付判定手段とを有することを特徴とする呼受付制御装置にて達成される。【選択図】  図１
2004328157.tif 000002
【特許請求の範囲】
【請求項１】
優先度の異なる複数の呼の通信に必要なリソースを共有リソースの内から割当てる呼受付制御装置において、
低優先度の呼を検出したときに、該低優先度の呼がシステムに与える影響度を判断する影響度判断手段と、
前記判断結果に基づき前記低優先度の呼の受付可否を判断する低優先度呼受付判定手段とを有することを特徴とする呼受付制御装置。
【請求項２】
請求項１記載の呼受付制御装置において、
前記低優先度呼受付判定手段は、
前記影響度の度合いに応じて低優先度の呼の呼受付閾値を変化させる呼受付閾値可変手段を有することを特徴とする呼受付制御装置。
【請求項３】
請求項２記載の呼受付制御装置において、
前記呼受付閾値可変手段は、
前記影響度から低優先度の呼の割当てられやすさを示す指標を設定し、その設定した指標を利用して前記低優先度の呼の受付閾値を変化させることを特徴とする呼受付制御装置。
【請求項４】
請求項３記載の呼受付制御装置において、
前記指標を低優先度の呼の割当てられやすさを決める関数として定義し、
前記関数は、前記影響度があらかじめ定めた閾値を越えない場合には低優先度の呼の受付閾値を高優先度の呼と同等にし、上記閾値を越えた場合には該高優先度の呼よりも低くすることを特徴とする呼受付制御装置。
【請求項５】
請求項１記載の呼受付制御装置において、
前記影響度判断手段は、
前記低優先度の呼がシステムに与える影響度を、
低優先度の呼が通信を行なうために必要な回線数、通信の完了までの時間、送信データ量、通信を行なうために通信設備で必要となる電力、通信継続中に他の呼が被る干渉量、呼の発生場所、呼を発生させた端末の移動速度、呼を発生させた端末の種類の１ないし複数の要素から判断することを特徴とする呼受付制御装置。
【請求項６】
請求項１記載の呼受付制御装置において、
前記影響度判断手段による低優先度の呼がシステムに与える影響度の判断と、
前記低優先度呼受付判定手段による前記低優先度の呼の受付可否判断を共有リソースが少ないときに行なうことを特徴とする呼受付制御装置。
【請求項７】
請求項３又は４記載の呼受付制御装置において、
接続要求の呼を検出したときに、通信設備の使用状況の変化を測定する測定手段と、
前記使用状況の変化量に応じて前記関数を変更する変更手段とを有することを特徴とする呼受付制御装置。
【請求項８】
優先度の異なる複数の呼の通信に必要なリソースを共有リソースの内から割当てる呼受付制御方法において、
低優先度の呼を検出したときに、該低優先度の呼がシステムに与える影響度を判断し、
前記影響度が大きいと判断された場合は、前記低優先度の呼の割当てられやすさが高優先度の呼の割当てられやすさよりも低くなるように低優先度の呼の受付閾値を決定し、
その決定した呼の受付閾値にしたがって前記低優先度の呼の受付可否を判断することを特徴とする呼受付制御方法。
【発明の詳細な説明】
【０００１】
【発明の属する技術分野】
本発明は、呼受付制御装置及び呼受付制御方法に関し、詳しくは、複数の優先度クラスの呼がリソースを共有する通信システムにおける呼受付制御装置及び呼受付制御方法に関する。
【０００２】
【従来の技術】
多数の加入者が共通の設備を利用して通信を行なう公衆の通信システムでは、ユーザが通信の開始を要求する際、あるいはより高速な回線を設定するために回線の追加を要求する際、通信設備の空きリソースの中から回線を割当て、通信が終了すればこれを解放して他の通信の回線の割当てに備える。
【０００３】
また、回線を割当てる際には、通信の要求を満たすだけの空きリソースがあるかどうかを判定し、十分なリソースがある場合にはその通信の呼を受付け、足りない場合には上記通信の呼の要求を拒否し、すでに継続中の通信の品質を維持する制御、すなわち呼の受付制御が行なわれる。
【０００４】
ところで、上記のような通信システムが提供するサービスには、音声通話、テレビ電話、ＦＡＸ通信、電子メール、ファイルのダウンロード、ファイル転送等があり、固定電話や携帯電話などのユーザにおいて利用することが可能となっている。ユーザは、上記サービスを提供する事業者と定額課金や従量課金など、各々が異なる契約を結んでいる。
【０００５】
また、通信システム内で取扱う呼には、通常の呼の他に１１０番や１１９番などの緊急呼もある。通信システム内では、これら種類の異なる呼が同時に多数存在し、共有リソースが利用されている。この共有リソースは有限であるため、呼の発生順に共有リソースを割当てていったとすると、１１０番などの緊急呼が発生したときに共有リソースの空きがなければその緊急呼の受付けが拒否されてしまう。すなわち、ユーザからのあらゆる通信の要求に応えるためには種類の異なる呼に効率よくリソースを割当てる必要がある。
【０００６】
そこで、呼の重要度や優先度に応じて呼の割当てやすさを差別化する呼の受付制御方法が提案されている（例えば、特許文献１参照）。この呼受付制御方法によれば、優先度の異なるサービスに異なる閾値を設け、優先度に応じて共有リソースを割当てる。これにより、ユーザの利用されるサービスに応じて呼の受付が制御され、通信品質の劣化を抑制することが可能となる旨が開示されている。
【０００７】
また、要求リソースの多い優先度の高い呼が大量に発生すると、要求リソースが少ない優先度の低い呼なら割当てられるだけの共有リソースの空きがある場合にも、現在通信中の呼の解放があるまではそのすべての呼の受付は拒否されることになる。そこで、このような問題を回避するために、共有リソースの空きが少ないときには、要求リソースの多い呼の受付を拒否し、要求リソースの少ない呼には呼を受付けるといった呼の受付制御方法が考えられる。特許文献２記載で開示されている技術は、このような観点から提案された技術で、大量のリソースを必要とする通信が多く存在しても、呼種毎の必要リソース量に応じて呼の受付閾値を別々に設けることで、リソース利用率の維持を可能としている。
【０００８】
【特許文献１】
特開２００２−２２３２３９号公報
【０００９】
【特許文献２】
特開２００２−１９０８３０号公報
【００１０】
【発明が解決しようとする課題】
しかしながら、従来の呼の受付制御方法では、呼の重要度や優先度で共有リソースの割当てやすさを差別化するが、共有リソースの空きが少なくなった場合、リソースが有効利用できないという問題があった。
【００１１】
また、共有リソースの空きが少ない場合には呼種ごとの必要リソース量に応じて共有リソースの割当てやすさを変える方法がとられるが、共有リソースが少なくなってくると要求リソースの高い呼の受付が拒否されてしまう。そのため、呼の重要度や優先度が差別化できないという問題があった。
【００１２】
本発明は、上記のような問題点に鑑みてなされたもので、その課題とするところは、優先度に応じた呼の割当てを可能にし、かつ共有リソースの利用効率を上げることのできる呼受付制御装置及び呼受付制御方法を提供することである。
【００１３】
【課題を解決するための手段】
上記課題を解決するため、本発明は、請求項１に記載されるように、優先度の異なる複数の呼の通信に必要なリソースを共有リソースの内から割当てる呼受付制御装置において、低優先度の呼を検出したときに、該低優先度の呼がシステムに与える影響度を判断する影響度判断手段と、前記判断結果に基づき前記低優先度の呼の受付可否を判断する低優先度呼受付判定手段とを有することを特徴としている。
【００１４】
また、本発明の請求項２は、前記呼受付制御装置において、前記低優先度呼受付判定手段は、前記影響度の度合いに応じて低優先度の呼の呼受付閾値を変化させる呼受付閾値可変手段を有することを特徴としている。
【００１５】
また、本発明の請求項３は、前記呼受付制御装置において、前記呼受付閾値可変手段は、前記影響度から低優先度の呼の割当てられやすさを示す指標を設定し、その設定した指標を利用して前記低優先度の呼の受付閾値を変化させることを特徴としている。
【００１６】
また、本発明の請求項４は、前記呼受付制御装置において、前記指標を低優先度の呼の割当てられやすさを決める関数として定義し、前記関数は、前記影響度があらかじめ定めた閾値を越えない場合には低優先度の呼の受付閾値を高優先度の呼と同等にし、上記閾値を越えた場合には該高優先度の呼よりも低くすることを特徴としている。
【００１７】
また、本発明の請求項５は、前記呼受付制御装置において、前記影響度判断手段は、前記低優先度の呼がシステムに与える影響度を、低優先度の呼が通信を行なうために必要な回線数、通信の完了までの時間、送信データ量、通信を行なうために通信設備で必要となる電力、通信継続中に他の呼が被る干渉量、呼の発生場所、呼を発生させた端末の移動速度、呼を発生させた端末の種類の１ないし複数の要素から判断することを特徴としている。
【００１８】
また、本発明の請求項６は、前記呼受付制御装置において、前記影響度判断手段による低優先度の呼がシステムに与える影響度の判断と、前記低優先度呼受付判定手段による前記低優先度の呼の受付可否判断を共有リソースが少ないときに行なうことを特徴としている。
【００１９】
また、本発明の請求項７は、前記呼受付制御装置において、接続要求の呼を検出したときに、通信設備の使用状況の変化を測定する測定手段と、前記使用状況の変化量に応じて前記関数を変更する変更手段とを有することを特徴としている。
【００２０】
上記本発明によれば、低優先度の呼を検出したときに、通信システムに与える影響度を予測し、影響度が小さい場合には低優先度の呼の割当てられやすさを上げて低優先度の呼の受付可否を判定するようにしたので、低優先度の呼を現在の共有リソースの使用状況内で効率良く割当てることができ、結果として、共有リソースの利用効率を向上させることができる。
【００２１】
【発明の実施の形態】
以下、本発明の実施の形態を図面に基づいて説明する。
【００２２】
図１は、本発明の実施の形態に係る呼受付制御装置の構成を示す機能ブロック図である。
【００２３】
同図において、この呼受付制御装置は、複数の通信に際して共有して使用する通信設備１０と、呼の設定・解放などを管理し、共有リソースの割当・解放などを通信設備制御部４０に対して指示する呼処理制御部２０と、メモリ５０から情報を読み出して呼の受付判定を行なう呼受付処理部３０と、呼処理制御部２０からの指示に基づいて、共有リソースの割当・解放などを行なうとともに現在使用中の共有リソース量を管理し使用リソース量や使用率をメモリに出力して保持させる通信設備制御部４０と、メモリ５０から構成され、それぞれがバス６０を介して接続される。
【００２４】
図２は、本発明の第一の実施形態に係る動作を説明するためのフローチャートである。
【００２５】
まず、呼受付処理部３０は、ステップＳ１で呼の接続要求を確認し、呼の接続要求があれば（ステップＳ１でＹｅｓ）、ステップＳ２へ移行し、呼の接続要求がなければ（ステップＳ１でＮｏ）呼の接続要求を待つ。ステップＳ１で呼の接続要求を確認されると、通信設備制御部４０は現時点で使用中の共有リソース量Ｔを取得（ステップＳ２）し、さらに接続要求している呼の要求リソース量Ｍを取得（ステップＳ３）する。通信設備制御部４０はこのようにして共有リソース量Ｔと要求リソース量Ｍを取得すると、これらの情報をメモリ５０に格納する。
【００２６】
呼受付処理部３０は、ステップＳ４で、接続要求している呼の優先度の判定を行ない、この判定で優先度クラスが高優先度であった場合（ステップＳ４で高優先度）、呼の受付閾値値をあらかじめ定義されている高優先度クラスの閾値Ｔｈｒに設定する。その後、メモリに格納されている共有リソース量Ｔと要求リソース量Ｍを読み出して合計値を求め、その合計値がＴｈｒ以下であれば（ステップＳ８でＹＥＳ）呼の受付処理を行ない（ステップＳ１０）、上記合計値がＴｈｒ以下でなければ（ステップＳ８でＮＯ）呼の受付を拒否する（ステップＳ９）処理が行なわれる。
【００２７】
一方、ステップＳ４で、接続要求している呼が低優先度であると判定された場合（ステップＳ４で低優先度）、この低優先度の呼が割当てられた場合に通信システムに与える影響度を予測（ステップＳ５）する。具体的には、以下に例示する測定項目の１つないし複数を測定することで上記の通信システムに与える影響度を予測する。
【００２８】
１．呼が要求する回線数
２．伝送速度
３．呼が通信を完了するまでにかかると予想される時間
４．呼が通信を行なおうとしているデータ量の大きさ
５．呼と通信を行なうために必要な通信設備の送信電力
６．通信を開始した場合に通信設備又はすでに通信を継続中の他の呼に与える干渉量
７．呼の発生した場所の種類（建物内、移動体内、郊外、都心、リゾート地、住宅街、オフィス街、歓楽街など）
８．呼を発生させたユーザと通信設備の距離
９．ユーザの移動速度
１０．呼を発生させたユーザ端末の種類（例：通話機能のみの電話、ＦＡＸ機能付き電話、携帯電話、携帯情報端末（ＰＤＡ）、ノート型コンピュータ、テレビ電話、画像端末など）
例えば、上記１の呼が要求する回線数を測定して通信システムに与える影響度を予測する場合、その測定により要求された回線数が多ければ、当該通信システムに与える影響度は高くなる。また、上記測定により要求された回線数が少なければ、当該通信システムに与える影響度は小さくなる。
【００２９】
呼受付処理部３０は、上記のようにして通信システムに与える影響度の予測を終えると、その予測された影響度を基にあらかじめ定義された関数を用いて低優先度の呼の割当てられやすさを示す指標ρを計算（ステップＳ６）する。ここで、ρは０≦ρ≦１の間の値をとる。呼受付処理部３０は、上記のρを計算した後、低優先度クラスの呼の受付閾値をＴｈｒ＊ρに設定（ステップＳ７）し、共有リソース量Ｔと要求リソース量Ｍの合計値（Ｍ＋Ｔ）がＴｈｒ＊ρ以下であれば（ステップＳ７でＹＥＳ）、呼の受付処理を行ない（ステップＳ１０）、上記Ｍ＋ＴがＴｈｒ＊ρを越えていれば（ステップＳ７でＮＯ）、呼の受付を拒否（ステップＳ９）する処理が行なわれる。
【００３０】
ステップＳ１０で低優先度の呼あるいは高優先度の呼のいずれの呼が受付処理されると、ループ処理の最初（Ｓ１）に戻り、上記同様の処理が繰り返される。また、ステップＳ１０で呼の受付処理が行なわれると、呼処理制御部２０で該当呼の設定が行なわれて通信が開始されるようになっている。
【００３１】
本実施例では、通信システムに与える影響度から割当てられやすさρを所定の関数式にしたがって求める場合を示したが、上記影響度とρの対応付を行なったテーブルをあらかじめ用意（ステップＳ１１）しておき、このテーブルを参照することにより所望のρを得ることもできる。
【００３２】
このように本実施形態では、低優先度の呼の接続要求がすべて公平に受付処理されるのでなく、通信システムに与える影響度の度合いに応じて処理される。例えば、低優先度の呼が通信システムに与える影響度が小さければ低優先度の呼の割当てられやすさを上げ、影響度が大きければ低優先度の呼の割当てられやすさを下げる。すなわち、通信システムに与える影響度の度合いに応じて低優先度の呼の受付閾値を変えることで、低優先度の呼を現在の共有リソースの使用状況内で効率良く割当てることができ、結果として、共有リソースの利用効率を向上させることができる。
【００３３】
図３は、本発明の第二の実施形態に係る動作を説明するためのフローチャートである。
【００３４】
この例の場合、ステップＳ２１〜ステップＳ２４までは、上述した第一の実施形態と同様の動作をする。したがって、ここでは、ステップＳ２５以降の動作について説明する。
【００３５】
呼受付処理部３０は、接続要求のあった呼の優先度クラスが低優先度クラスであった場合、その呼が割当てられた場合の通信システムに与える影響度を測定（ステップＳ２５）し、影響度があらかじめ定義された閾値を越えなければ（ステップＳ２５でＮｏ）呼の受付閾値を高優先度クラスのＴｈｒに設定する。一方、上記影響度があらかじめ定義された閾値を越えた（ステップＳ２５でＹｅｓ）場合は、呼の受付閾値を低優先度クラスのＴｈｒ０に設定する。
【００３６】
呼受付処理部３０は、ステップ２５で低優先度の呼が通信システムに与える影響度は小さいと判断（ステップＳ２５でＮｏ）したときは、共有リソース量Ｔと要求リソース量Ｍの合計値（Ｍ＋Ｔ）がＴｈｒ以下であるかを判定（ステップＳ２７）し、上記低優先度の呼が通信システムに与える影響度は大きいと判断（ステップＳ２５でＹｅｓ）したときは、上記のＭ＋ＴがＴｈｒ０以下であるかどうかを判定（ステップＳ２６）する。
【００３７】
呼受付処理部３０は、ステップ２６でＭ＋Ｔ＜Ｔｈｒ０又はステップ２７でＭ＋Ｔ＜Ｔｈｒが肯定されれば（ステップ２６でＹｅｓまたはステップ２７でＹｅｓ）、接続要求のあった低優先度の呼の受付処理を行ない（ステップＳ２９）、そうでなければ（ステップ２６でＮｏ又はステップ２７でＮｏ）上記呼の受付を拒否（ステップＳ２８）する処理がなされる。これにより、低優先度の呼の受付制御をより簡易に実現することができる。
【００３８】
また、本例では、低優先度の呼が通信システムに与える影響度の大小判定に、一つの閾値が用いられる場合を示したが、これに限らず複数の閾値を用いることも可能である。例えば、最も低い閾値を越えない場合には低優先度の呼の受付閾値を高優先度クラスと同じにし、上記最も低い閾値を越えた場合には低優先度の呼の受付閾値を用いればよい。
【００３９】
図４は、本発明の第三の実施形態に係る動作を説明するためのフローチャートである。
【００４０】
この例の場合、ステップＳ３１〜ステップＳ３３までは、上述した第一の実施形態又は第二の実施形態と同様の動作をする。したがって、ここでは、ステップＳ３４以降の動作について説明する。
【００４１】
呼受付処理部３０は、呼の接続要求があると、まず、使用中の共有リソース量Ｔと要求するリソース量Ｍとから接続要求のあった呼を受付けた場合の共有リソースの残量を予測（ステップＳ３４）し、共有リソースに余裕があると判定された場合（ステップＳ３４でＹＥＳ）のみ上記呼の受付処理（ステップＳ３５）を行ない、共有リソースに余裕がないと判定された場合（ステップＳ３４でＮｏ）は上記呼の優先度を判定する処理へと移行する。この優先度判定の処理、かつそれ以降の処理は上述した第一又は第二の実施形態と同様にしてなされる。
【００４２】
このように本実施形態によれば、共有リソースに余裕があるときは、呼の優先度判定処理を省略するので、共有リソースに余裕があるときの処理を簡略化することができる。
【００４３】
図５は、本発明の第四の実施形態に係る動作を説明するためのフローチャートである。
【００４４】
この例の場合、低優先度の呼の受付処理までは上述の第一〜第三の実施形態と同じである。したがって、ここでは、低優先度の呼の受付処理以降について説明する。
【００４５】
呼受付処理部３０は、低優先度の呼の受付処理（ステップＳ４１）をした後、通信設備の使用率を測定（ステップＳ４２）し、使用率の変化量から前述したρを計算する関数あるいはテーブルを変更させるフィードバックをかける。
【００４６】
通信設備の使用率は、例えば、共用リソースの回線の使用数や使用率、通信設備の送信電力量や受信干渉量、通信中の呼の受信干渉量、通信中の呼の完了率や誤り率、スループット、遅延時間などを観測することで測定可能である。
【００４７】
上記のフィードバックは、例えば、受付処理後の通信設備の使用率をあらかじめ定義された計算式に代入して使用率の高さを判定し、使用率が高いほど計算されるρが小さくなるように、また使用率が低ければρが大きくなるように、関数を変更あるいはテーブルの参照場所をずらす制御を行なうことが可能である。
【００４８】
このように本実施形態によれば、低優先度の呼の割当てられやすさを示す指標ρが現在の通信設備の使用状況に応じて適宜更新されるので、よりきめ細かい低優先度の呼の受付制御が可能になる。
【００４９】
また、上記の計算式を用いるのでなくあらかじめ決められた値との比較による使用率の判定を行なうことも可能である。さらに、呼の受付処理前後の通信設備の使用率の変化分を当該使用率の判定に用いることも可能である。
【００５０】
上記実施例において、呼受付制御装置の呼受付処理部３０の機能が影響度判断手段、低優先度呼受付判定手段、呼受付閾値可変手段に対応し、通信設備制御部４０の機能が測定手段に対応する。また、呼受付処理部の関数処理機能が変更手段に対応する。
【００５１】
【発明の効果】
以上、説明したように、本願発明によれば、低優先度の呼を検出したときに、通信システムに与える影響度を予測し、影響度が小さい場合には低優先度の呼の割当てられやすさを上げて低優先度の呼の受付可否を判定するようにしたので、低優先度の呼を現在の共有リソースの使用状況内で効率良く割当てることができ、結果として、共有リソースの利用効率を向上させることができる。
【図面の簡単な説明】
【図１】本発明の実施の形態に係る呼受付制御装置の構成を示す機能ブロック図である。
【図２】本発明の第一の実施形態に係る動作を説明するためのフローチャートである。
【図３】本発明の第二の実施形態に係る動作を説明するためのフローチャートである。
【図４】本発明の第三の実施形態に係る動作を説明するためのフローチャートである。
【図５】本発明の第四の実施形態に係る動作を説明するためのフローチャートである。
【符号の説明】
１０  通信設備
２０  呼処理制御部
３０  呼受付処理部
４０  通信設備制御部
５０  メモリ
６０  バス
【図１】
2004328157.tif 000003
【図２】
2004328157.tif 000004
【図３】
2004328157.tif 000005
【図４】
2004328157.tif 000006
【図５】
2004328157.tif 000007